(57)【要約】  【課題】電球の形状やサイズが異なる各種の電球の取り付け、取り外しが安全且つ容易に行うことができる電球交換具を提供するものである。【解決手段】伸縮ハンドルの上端に設けた電球把持部１に電球の球状部１４を把持して回転させることにより電球を交換する電球交換器具において、電球把持部１は、上部に電球の球状部が出入り可能に拡開可能な開口部が形成され、開口部に次いで形成された略球面状の電球把持空間中に電球の球状部１４を取り囲んで把持する４分割された弾性を有する拡開可能な電球把持片４よりなり、各電球把持片４の上部には電球の球状部１４に接する輪ゴム７を係止して連結するための係止溝８が形成され、電球把持部１の下部には握り部９が連設され、握り部９に伸縮自在の円筒状の伸縮ハンドル２が接続されている。【選択図】図１
0003149157.tif 000002
【実用新案登録請求の範囲】
【請求項１】
伸縮ハンドルの上端に設けた電球把持部に電球の球状部を把持して電球把持部を回転させることにより電球を交換する電球交換器具において、
電球把持部は、上部に電球の球状部が出入り可能な開口部に次いで形成された略球面状の電球把持空間中に電球の球状部を取り囲んで把持する４分割された弾性を有する把持片によりなり、
各把持片の上部には電球の球状部に接する輪ゴムを係止して連結するための係止溝が形成され、
電球把持部の下部に握り部を連設し、握り部に伸縮自在の円筒状の伸縮ハンドルを連設可能にしたことを特徴とする電球交換具。
【請求項２】
前記電球把持空間内を昇降して電球の球状部の底部に先端が接するストッパー棒が握り部内に摺動自在に支持されていることを特徴とする請求項１記載の電球交換具。
【請求項３】
ストッパー棒に電球の球状部の縦長さに応じた目盛りが表示されていることを特徴とする請求項２記載の電球交換具。
【考案の詳細な説明】
【技術分野】
【０００１】
本考案は、形状やサイズが異なる各種の電球の取り付け、取り外しが安全で容易に行える電球交換具を提供するものである。
【背景技術】
【０００２】
天井などの高所に配置されている照明電球の取り付け、取り外しは梯子、脚立、足場の上に乗って電球を手回しにより行うのが普通である。
【０００３】
梯子や脚立に乗っての電球の交換作業は、高所作業のため危険を伴うので安全上問題があった。また、梯子や脚立を置く場所をかたづける必要もあり、簡単に作業を行えなかった。そこで、本出願人は、安全かつ容易に電球を交換することができる電球交換具を提案した（特許文献１参照）。
【０００４】
図３は特許文献１に記載された電球交換具の全体図である。図３において、弾性素材よりなり、一部に外部と連通した開口部を有する略球面状の電球把持空間を形成して、同電球把持空間中に電球の球状部を把持可能とした電球把持部１５を具備し、電球把持部１５に伸縮自在の伸縮ハンドル１６を連設可能にしている。
【０００５】
この電球交換具による電球の交換作業は、伸縮ハンドル１６を軸線廻りに回転させながら電球把持部１５を電球１３の球状部１４に押しつけると、電球の球状部１４が電球把持空間の内部に収納・把持される。さらに回転させて、電球のネジ部とソケットとの螺着を解除することができ、その後、電球把持空間から電球を引き抜いて、電球交換具と電球とを分離する。そして、新しい電球の球状部１４を電球把持部１５に収納しておき、伸縮ハンドル１６で電球のネジ部をソケットに押しつけながら回転させることで、ソケットに新しい電球を取付けることができる。
【０００６】
電球交換作業中、電球の球状部が、電球把持部の中に、把持されているので、上記作業中に電球の脱落が防止され、また、伸縮ハンドルの長さを調節し、上記の操作を行うことにより、脚立等を用いることなく、安全に電球を交換することができる。
【特許文献１】特開平１０−２７５８３号公報
【考案の開示】
【考案が解決しようとする課題】
【０００７】
しかしながら、前記特許文献１に記載された電球交換具では、弾性素材よりなる電球把持部の電球把持空間は略球面状に形成されているため、電球の球状部が電球把持空間内に電球把持部の弾性により把持できる電球把持空間よりやや大きい形状に限られてしまい、電球把持空間内に把持できない形状の電球に対しては使用できないので、交換できる電球の種類が限られてしまう。また、電球には形状やサイズに違いがあるため、電球の種類ごとに電球交換具を用意しなくてはならないという欠点がある。
【０００８】
そこで、本考案は、電球の形状やサイズが異なる各種の電球の取り付け、取り外しが安全且つ容易に行うことができる電球交換具を提供するものである。
【課題を解決するための手段】
【０００９】
本考案の電球交換具は、伸縮ハンドルの上端に設けた電球把持部に電球の球状部を把持して回転させることにより電球を交換する電球交換器具において、電球把持部は、上部に電球の球状部が出入り可能に拡開可能な開口部が形成され、開口部に次いで形成された略球面状の電球把持空間中に電球の球状部を取り囲んで把持する４分割された弾性を有する拡開可能な電球把持片よりなり、各電球把持片の上部には電球の球状部に接する輪ゴムを係止して連結するための係止溝が形成され、電球把持部の下部には握り部が連設され、握り部に伸縮自在の円筒状の伸縮ハンドルが接続されていることを特徴とする。
【００１０】
上記電球把持部に連通し、電球の球状部の底部に接する、伸縮ハンドル内を昇降可能なストッパー棒を設けてもよい。また、ストッパー棒に電球の種類に応じた目盛りを表示してもよい。
【考案の効果】
【００１１】
本考案の電球交換具は、電球の球状部が電球把持部の開口部に押し込まれると、電球把持片を拡開して電球の球状部が挟持されるとともに、輪ゴムが電球の球状部を押さえて回転時に摩擦力が作用するので、サイズや形状の異なる電球の球状部を把持して回転させることが可能となる。
【００１２】
また、ストッパー棒の先端が電球の球状部に接するようにストッパー棒を調節することにより、電球把持部を容易に位置決めすることができ、電球の球状部を確実に把持することが可能となる。
【考案を実施するための最良の形態】
【００１３】
本考案の実施例について説明する。
【実施例】
【００１４】
図１（ａ）は本考案の電球交換具の全体図、（ｂ）はレフ電球を把持した状態を示す図、（ｃ）は白熱電球を把持した状態を示す図である。図２は電球把持部の平面図である。
【００１５】
図１において、本考案の電球交換具は、電球把持部１と伸縮ハンドル２とからなる。電球を把持する電球把持部１は高所に取り付けられた電球１３に達するように伸縮ハンドル２の上端に取り付けられる。
【００１６】
電球把持部１は電球の球状部１４を取り囲んで把持する凹状の電球把持空間３を備える。電球把持空間３は、分割された弾性を有する拡開可能な略球面状の電球把持片４により形成される。本実施例では電球把持片４は４分割されている。電球把持片４の下部は電球把持片固定部５に固定されている。電球把持片４の上部は開放されて電球の球状部１４が出入り可能な開口部６が形成される。弾性を有し且つ分割により拡開可能な電球把持片４により開口部６からサイズの異なる電球の球状部１４の出入りが可能となるとともに、電球把持空間３において電球の球状部１４の把持が可能となる。
【００１７】
各電球把持片４の上部には、輪ゴム７を係止するための係止溝８が形成されている。輪ゴム７は電球把持空間３内に位置させて電球把持空間３内に入り込んだ電球の球状部１４に接して電球把持部１の回転の際に電球の球状部１４に摩擦が作用するように係止する。係止溝８は複数設け、輪ゴム７を上下の係止溝８に交互に係止して輪ゴム７が電球の球状部の上下に接するように係止して電球の球状部が摩擦により確実に回転するようにすることができる。なお、輪ゴム７は電球のサイズに応じて異なるサイズの輪ゴムと交換して締め付けの程度を調整することができる。
【００１８】
電球把持片固定部５の底部には筒状の握り部９が固定されており、握り部９と電球把持片固定部５の中心孔と電球把持空間３とが連通している。握り部９の筒内にはストッパー棒１０が摺動可能に配置され、ストッパー棒１０の先端が電球把持空間内に出入り可能になっている。ストッパー棒１０は摺動により所定の位置で停止可能となっている。ストッパー棒の先端にはクッション材１１が貼り付けられている。握り部９を握ってストッパー棒１０を摺動させて電球の球状部１４のサイズに応じてストッパー棒１０の先端の位置を調節することにより、電球の球状部がストッパー棒１０の先端に接して電球把持部１の進入がストップされて確実に位置決めされて把持が可能となる。また、ストッパー棒１０に電球の種類に応じた目盛り１２を表示することにより、簡単にストッパー棒１０の進入量の調整が簡単にできて電球把持部１の位置決めが容易にできる。
【００１９】
握り部９に伸縮自在の筒状の伸縮ハンドル２を接続する。伸縮ハンドル２は、繰り出し方式にしたり、継ぎ足していく方式にしたりすることができる。なお、伸縮ハンドル２はストッパー棒１０が入り込むことができるように筒状にする。
【００２０】
次に本考案の電球交換具の使用方法について説明する。
【００２１】
各電球把持片４の上部の係止溝８に輪ゴム７を係止する。交換する電球に対応して、ストッパー棒１０を摺動させて電球把持空間３内でのストッパー棒１０の先端の位置決めを行う。ついで、握り部９に伸縮ハンドル２を接続して電球交換具の組立が完了する。
【００２２】
伸縮ハンドル２をもって電球把持部１の開口部６を電球の球状部１４の下に位置させ、接触させた後、開口部６を電球の球状部１４に向けて押し、電球の球状部１４を開口部６に押し込む。電球の球状部１４がストッパー棒１０の先端に当たると電球把持空間３内に把持されるので、押し込みを完了する。
【００２３】
次いで、伸縮ハンドル２を回転させて電球把持部１を回転させると、電球把持空間３内に把持されている電球１３も回転する。回転の際、電球の球状部１４は輪ゴム７で押さえられて摩擦力が作用しているので、電球把持部１だけが電球の球状部１４の周りを空回りすることはない。電球１３の回転に伴い、ソケットから電球の口金のネジが外れる。
【００２４】
その後、ソケットから外した電球を電球把持空間３から引き抜いて取り出す。そして、新しい電球の球状部１４を電球把持部１に押し込んで収納した後、伸縮ハンドル２でソケットに新しい電球の口金のネジを位置合わせし、ソケットに押しつけながら電球を回転させることにより新しい電球を取付けることができる。
【図面の簡単な説明】
【００２５】
【図１】（ａ）は本考案の電球交換具の全体図、（ｂ）はレフ電球を把持した状態を示す図、（ｃ）は白熱電球を把持した状態を示す図である。
【図２】本考案の電球交換具の電球把持部の平面図である。
【図３】特許文献１に記載された電球交換具の電球交換具の全体図である。
【符号の説明】
【００２６】
１：電球把持部          ２：伸縮ハンドル
３：電球把持空間        ４：電球把持片
５：電球把持片固定部    ６：開口部
７：輪ゴム              ８：係止溝
９：握り部            １０：ストッパー棒
１１：クッション材      １２：目盛り
１３：電球              １４：電球の球状部
１５：電球把持部        １６：伸縮ハンドル
【図１】
0003149157.tif 000003
【図２】
0003149157.tif 000004
【図３】
0003149157.tif 000005